(57)【要約】      （修正有）【課題】組み付け作業を容易にしつつ、使用者等が指で押しても、ずれや変形しにくいケースの接合構造を有する補聴器を提供する。【解決手段】下部ケース１および上部ケース２は互いに接続する接合部分を有する。下部ケース１および上部ケース２の一方の接合部分は鋭角な凹条で第１傾斜側面１１ｂ，１２ｂを有し、下部ケース１および上部ケース２の他方の接合部分は鋭角な凸条で第２傾斜側面２１ｂ，２２ｂを有する。下部ケース１および上部ケース２は、第１傾斜側面１１ｂ，１２ｂおよび第２傾斜側面２１ｂ，２２ｂを互いに接合されて組み付けられる。【選択図】図３
2018182421.tif 000002
【特許請求の範囲】
【請求項１】
補聴器の筐体を構成する第１ケースおよび第２ケースを有し、
前記第１ケースおよび前記第２ケースは互いに接続する接合部分を有し、
前記第１ケースおよび前記第２ケースの一方の接合部分は鋭角な凹条で第１傾斜側面を有し、
前記第１ケースおよび前記第２ケースの他方の接合部分は鋭角な凸条で第２傾斜側面を有し、
前記第１ケースおよび前記第２ケースは、前記第１傾斜側面および前記第２傾斜側面を互いに接合されて組み付けられること、
を特徴とする補聴器。
【請求項２】
前記凹条を形成する内部空間側の側面は、前記第１傾斜側面であり、
前記凹条を形成する外界側の側面は、組み付け方向に対して平行な面であり、
前記凸条を形成する内部空間側の側面は、前記第２傾斜側面であり、
前記凸条を形成する外界側の側面は、組み付け方向に対して平行な面であること、
を特徴とする請求項１記載の補聴器。
【請求項３】
前記凹条により形成される２つの頂辺部のうち、内側の頂辺部は、外側の頂辺部より低くなっていることを特徴とする請求項１または請求項２記載の補聴器。
【請求項４】
前記第１ケースおよび前記第２ケースのうちの一方の後端部には、前記鋭角な凹条を形成する外界側の側面と連続する同一面を有する第１側面と、組み付け方向に対して平行で前記第１側面と対向する第２側面とを有する凹部を有し、
前記第１ケースおよび前記第２ケースのうちの他方の後端部には、前記鋭角な凸条を形成する外界側の側面と連続する同一面を有する第３側面と、組み付け方向に対して平行で前記第３側面と対向する第４側面とを有する凸部を有し、
前記第２側面および前記第４側面は、前記第１ケースおよび前記第２ケースを互いに組み付ける際に互いに接合すること、
を特徴とする請求項１から請求項３のうちのいずれか１項記載の補聴器。
【発明の詳細な説明】
【技術分野】
【０００１】
本発明は、補聴器に関するものである。
【背景技術】
【０００２】
従来の耳かけ型補聴器は、組み立て易くするために互いに接合される下部ケースおよび上部ケースをケースとして備え、下部ケースおよび上部ケースの内部には、増幅回路、マイクロホン、イヤホン、電池などが収容されるものがある（例えば特許文献１参照）。
【先行技術文献】
【特許文献】
【０００３】
【特許文献１】特開平７−２０３５９４号公報
【発明の概要】
【発明が解決しようとする課題】
【０００４】
図５は、従来の補聴器の下部ケースと上部ケースとの接合部分の例を示す断面図である。
【０００５】
補聴器において、下部ケースと上部ケースとを互いに接合する場合、下部ケースと上部ケースとが互いに横方向（補聴器の幅方向）にずれないようにするために、例えば、図５（Ａ）に示すように、下部ケース１０１および上部ケース１０２の一方に係止凸条１１１が設けられたり、図５（Ｂ）に示すように、下部ケース１２１および上部ケース１２２の一方に凹条１３１が設けられ他方に凸条１３２が設けられたりする。
【０００６】
このような接合部分を形成することで、横方向において下部ケース１０１，１２１と上部ケース１０２，１２２とが互いに固定される。
【０００７】
しかしながら、図５（Ａ）および図５（Ｂ）に示すように、係止凸条１１１や、凹条１３１および凸条１３２が、略長方形の断面を有する場合、下部ケース１０１，１２１および上部ケース１０２，１２２の一方に他方を組み付ける際に、係止凸条１１１が、他方のケースの先端に引っ掛りやすく、また、凸条１３２が凹条１３１に引っ掛かりやすいため、組み付け作業に手間と時間がかかってしまう。
【０００８】
なお、図５（Ａ）に示すように係止凸条１１１を設ける場合、係止凸条１１１をよりケース内側に設けることで組み付け時の引っ掛かりが軽減されるが、組み付け後に上部ケースと下部ケースとの間でガタつきが生じたり、上部ケースの横方向で内側方向に力が加わるとずれや変形する可能性がある。また、図５（Ｂ）に示すような凹条１３１を設ける場合、強度上、下部ケース１２１の肉厚を大きくする必要がある。図５（Ａ）や図５（Ｂ）に示す補聴器を持つ際に横方向の側面を指で挟んで持つことが多いが、指で押されることにより継ぎ目に力が加わると、構造上隙間が生じる場合がある。
【０００９】
本発明は、上記の問題に鑑みてなされたものであり、組み付け作業を容易にしつつ、使用者等が指で押しても、ずれや変形しにくいケースの接合構造を有する補聴器を得ることを目的とする。
【課題を解決するための手段】
【００１０】
本発明に係る補聴器は、補聴器の筐体を構成する第１ケースおよび第２ケースを有する。第１ケースおよび第２ケースは互いに接続する接合部分を有する。第１ケースおよび第２ケースの一方の接合部分は鋭角な凹条で第１傾斜側面を有し、第１ケースおよび第２ケースの他方の接合部分は鋭角な凸条で第２傾斜側面を有する。第１ケースおよび第２ケースは、第１傾斜側面および第２傾斜側面を互いに接合されて組み付けられる。
【発明の効果】
【００１１】
本発明によれば、組み付け作業を容易にしつつ、使用者等が指で押しても、ずれや変形しにくいケースの接合構造を有する補聴器が得られる。
【図面の簡単な説明】
【００１２】
【図１】図１は、本発明の実施の形態に係る補聴器を示す斜視図である。
【図２】図２は、本発明の実施の形態に係る補聴器を示す分解斜視図である。
【図３】図３は、図１および図２における下部ケース１と上部ケース２との接合部分の一例を示す断面図である。
【図４】図４は、図１および図２における下部ケース１の後端部および上部ケース２の後端部を示す側面図である。
【図５】図５は、従来の補聴器の下部ケースと上部ケースとの接合部分の例を示す断面図である。
【発明を実施するための形態】
【００１３】
以下、図に基づいて本発明の実施の形態を説明する。
【００１４】
図１は、本発明の実施の形態に係る補聴器を示す斜視図である。図２は、本発明の実施の形態に係る補聴器を示す分解斜視図である。
【００１５】
図１および図２に示す補聴器は、耳かけ型の補聴器であり、下部ケース１（第１ケース）と、上部ケース２（第２ケース）と、マイクカバー３と、電池ホルダ４と、フック５と、スペーサ６と、本体ユニット７と、保持ピン８，９，１０とを備える。
【００１６】
下部ケース１および上部ケース２は、それぞれ、例えば略半筒状の形状を有する部材であって、下部ケース１の２つの端辺部１１，１２と上部ケース２の２つの端辺部２１，２２とは、隙間なく接合可能な形状で形成されている。つまり、下部ケース１の端辺部１１，１２と上部ケース２の端辺部２１，２２とが接合することで、下部ケース１と上部ケース２とが一体のケースとなり、その中空の内部空間に本体ユニット７が配置される。
【００１７】
このような下部ケース１と上部ケース２との接合部分は、ケース側面側に位置し、上部ケース２の上面側に位置しないため、汗などの異物が接合部分を介してケース内部に入りにくい。また、下部ケース１と上部ケース２との境界が補聴器の側面に位置するため、例えば、下部ケース１と上部ケース２とを互いに異なる色としやすく、デザインの自由度が高い。
【００１８】
また、下部ケース１の電池ホルダ側となる後端部の上端には、凹部１３，１４が形成されており、下部ケース１の先端部には、挿通孔１５および保持ピン孔１６が形成されている。また、下部ケース１の側面には、保持ピン孔１７，１８，１９，２０が形成されている。なお、保持ピン孔１７，１８が形成された下部ケース１内側の開口部には、図２に示すように、上部ケース２の突起部２８，２９に合わせた形状の凹部が形成されているが、凹部を形成しない構造にしてもよい。
【００１９】
また、上部ケース２の電池ホルダ側となる後端部の下端には、凸部２３，２４が形成されており、上部ケース２の先端部には、保持ピン孔２５が形成されている。さらに、上部ケース２の上面には、集音口２６および挿通孔２７が形成されている。上部ケース２の端辺部２１，２２には、板状の突起部２８，２９がそれぞれ形成されており、突起部２８，２９には、保持ピン孔３０，３１がそれぞれ形成されている。
【００２０】
マイクカバー３は、上部ケース２上で露出する操作部（操作ボタンなど）および集音口２６の少なくとも一方（ここでは、両方）を覆う部材である。マイクカバー３は、上部ケース２の上面形状に合わせた形状をしている。また、マイクカバー３には、保持ピン孔４１が形成されている。
【００２１】
電池ホルダ４は、下部ケース１および上部ケース２の後端部に配置され、本体ユニット７の電子回路に電源電力を供給する電池を収容可能となっている。電池ホルダ４には、保持ピン孔５１が形成されている。具体的には、電池ホルダ４は、下部ケース１に組み付けられた後、保持ピン孔５１を支点にして回動することにより開閉自在であって、外装面を除き、下部ケース１および上部ケース２の後端部の内部空間に収容可能となっている。
【００２２】
フック５は、耳かけ型補聴器用のフックであり、両端を連通して音道となる貫通孔を備える部材である。フック５の突起部６１は、組み付け後の下部ケース１および上部ケース２の先端部に挿入される。突起部６１には、保持ピン溝６２が形成されている。
【００２３】
スペーサ６は、リング状の形状を有し、下部ケース１および上部ケース２の先端部の合わせ部材である。そして、下部ケース１の挿通孔１５にフック５の突起部６１が挿通される。
【００２４】
本体ユニット７は、下部ケース１および上部ケース２との内部空間に内蔵され、補聴器使用者に合わせて補聴処理を行う電子回路を含み、補聴器機能を実現するための部分である。本体ユニット７は、フレーム７１、イヤホンジョイント７２、イヤホンモジュール７３、図示せぬマイクロホンの音口７４、操作ボタン７５、および保持ピン孔７６を備える。
【００２５】
保持ピン８は、下部ケース１、上部ケース２、マイクカバー３、およびフック５を互いに固定するピンである。保持ピン８は、下部ケース１の保持ピン孔１６、上部ケース２の保持ピン孔２５、フック５の保持ピン溝６２、およびマイクカバー３の保持ピン孔４１に挿入される。
【００２６】
保持ピン９は、下部ケース１、上部ケース２、および本体ユニット７を互いに固定する保持ピンである。保持ピン９は、下部ケース１の保持ピン孔１７，１８、本体ユニット７の保持ピン孔７６、および上部ケース２の保持ピン孔３０，３１に挿入される。
【００２７】
保持ピン１０は、下部ケース１および電池ホルダ４を互いに固定する保持ピンである。保持ピン１０は、下部ケース１の保持ピン孔１９，２０および電池ホルダ４の保持ピン孔５１に挿入される。
【００２８】
例えば、下部ケース１、上部ケース２、マイクカバー３、電池ホルダ４、フック５、スペーサ６、本体ユニット７のフレーム７１、および保持ピン８，９，１０は、ＡＢＳ樹脂などからなる樹脂製の部材または金属製の部材とされる。
【００２９】
図３は、図１および図２における下部ケース１と上部ケース２との接合部分の一例を示す断面図である。
【００３０】
下部ケース１は、上部ケース２との接合部分（端辺部１１，１２）に凹条１１ａ，１２ａを有する。上部ケース２は、下部ケース１との接合部分（端辺部２１，２２）に凸条２１ａ，２２ａを有する。凹条１１ａ，１２ａおよび凸条２１ａ，２２ａの断面は、略三角形の形状を有する。なお、凹条１１ａ，１２ａは、下部ケース１の先端部から後端部まで延びているようにしてもよいし、先端部から後端部までの一部に形成されていてもよい。同様に、凸条２１ａ，２２ａは、上部ケース２の先端部から後端部まで延びているようにしてもよいし、先端部から後端部までの一部に形成されていてもよい。
【００３１】
凹条１１ａ，１２ａは、傾斜側面１１ｂ，１２ｂを有する。凸条２１ａ，２２ａは、傾斜側面２１ｂ，２２ｂを有する。傾斜側面１１ｂ，１２ｂ，２１ｂ，２２ｂは、下部ケース１と上部ケース２との組み付け方向（つまり上下方向）に対して所定の傾斜角（つまり、０度より大きくかつ９０度より小さい鋭角で、例えば４５度程度である）で傾斜している。下部ケース１および上部ケース２を互いに組み付ける際には、傾斜側面１１ｂおよび傾斜側面２１ｂが互いに接合し、傾斜側面１２ｂおよび傾斜側面２２ｂが互いに接合する。凹条１１ａ，１２ａの内側（つまり、下部ケース１の内部空間側）の側面は、傾斜側面１１ｂ，１２ｂとなっており、凹条１１ａ，１２ａの外側（つまり、下部ケース１の内部空間とは反対の外界側）の側面は、垂直側面１１ｃ，１２ｃ（つまり、上述の組み付け方向に対して平行な面）となっている。
【００３２】
そして、凹条１１ａにより形成される端辺部１１の２つの頂辺部１１ｄ，１１ｅのうち、内側の頂辺部１１ｄは、外側の頂辺部１１ｅより低くなっている。同様に、凹条１２ａにより形成される端辺部１２の２つの頂辺部１２ｄ，１２ｅのうち、内側の頂辺部１２ｄは、外側の頂辺部１２ｅより低くなっている。
【００３３】
凸条２１ａ，２２ａの内側の側面は、傾斜側面２１ｂ，２２ｂとなっており、凸条２１ａ，２２ａの外側の側面は、垂直側面２１ｃ，２２ｃ（つまり、上述の組み付け方向に対して平行な面）となっている。
【００３４】
垂直側面１１ｃ，１２ｃから傾斜側面１１ｂ，１２ｂへの傾斜角は、垂直側面２１ｃ，２２ｃから傾斜側面２１ｂ，２２ｂへの傾斜角と略同一である。
【００３５】
これにより、下部ケース１と上部ケース２との組み付け時に、下部ケース１の垂直側面１１ｃ，１２ｃと上部ケース２の垂直側面２１ｃ，２２ｃとが接触しつつガイドとなり、下部ケース１の傾斜側面１１ｂ，１２ｂと上部ケース２の傾斜側面２１ｂ，２２ｂとが接触して下部ケース１と上部ケース２とが互いに固定された状態になるため、組み付けが容易となるとともに、組み付け後に下部ケース１と上部ケース２との間のガタつきが生じにくい。
【００３６】
なお、この実施の形態では、下部ケース１が凹条１１ａ，１２ａを有し上部ケース２が凸条２１ａ，２２ａを有しているが、上部ケース２が、凸条２１ａ，２２ａの代わりに凹条１１ａ，１２ａを有し、下部ケース１が、凹条１１ａ，１２ａの代わりに凸条２１ａ，２２ａを有していてもよい。
【００３７】
図４は、図１および図２における下部ケース１の後端部および上部ケース２の後端部を示す側面図である。
【００３８】
下部ケース１において、凹条１１ａ，１２ａの延長上の後端部に凹部１３，１４が形成されている。凹部１３，１４は、垂直側面１３ａ，１４ａ（つまり、上述の組み付け方向に対して平行な面）を有する。また、上部ケース２において、凸条２１ａ，２２ａの延長上の後端部に凸部２３，２４が形成されている。凸部２３，２４は、垂直側面２３ａ，２４ａ（つまり、上述の組み付け方向に対して平行な面）を有する。そして、凹部１３，１４の外側の垂直側面はそれぞれ凹条１１ａ，１２ａの外側の垂直側面１１ｃ，１２ｃと連続する同一面で形成されており、凸部２３，２４の外側の垂直側面は、それぞれ凸条２１ａ，２２ａの外側の垂直側面２１ｃ，２２ｃと連続する同一面で形成されている。なお、これら凹凸部の長さ（つまり、図４で紙面の奥行方向の長さ）は１ｍｍ程度であり、補聴器の先端から後端までの長手方向の長さに対して十分に短い長さである。
【００３９】
垂直側面１３ａおよび垂直側面２３ａは、下部ケース１および上部ケース２を互いに組み付ける際に互いに接合し、垂直側面１４ａおよび垂直側面２４ａは、下部ケース１および上部ケース２を互いに組み付ける際に互いに接合する。
【００４０】
下部ケース１の後端部には開閉自在の電池ホルダ４が設けられており、装用者などが電池交換のために電池ホルダ４を開いたときに、開口状態の下部ケース１の後端部に触れて、下部ケース１の後端部を外側へ押し広げようとする力が掛かる可能性がある。これに対し、上述の構成により、下部ケース１と上部ケース２との組み付け後、下部ケース１の垂直側面１３ａ，１４ａが、上部ケース２の垂直側面２３ａ，２４ａに当接するため、下部ケース１の後端部が横方向（つまり、上述の組み付け方向に対して垂直方向となる補聴器の幅方向）に押し広げられにくくなる。したがって、下部ケース１の後端部が横方向に押し広げられることによる下部ケース１と上部ケース２との接合部分の破損や変形の発生を抑制できる。
【００４１】
次に、本実施の形態に係る補聴器の組み立てについて説明する。
【００４２】
図２に示す各部材が用意され、下部ケース１の内側空間に本体ユニット７が配置される。
【００４３】
次に、上部ケース２が下部ケース１に組み付けられる。その際、図３に示すように、下部ケース１の端辺部１１，１２に凹条１１ａ，１２ａが形成され、上部ケース２の端辺部２１，２２に凸条２１ａ，２２ａが形成されているので、例えば下部ケース１に対して、上部ケース２の先端側や後端側の位置を合わせることで、容易に組み付けることができる。なお、上部ケース２の後端側において、図４に示すように、上部ケース２の凸部２３，２４が下部ケース１の凹部１３，１４が形成されている場合においても、作業上において確認し易く、それらの長さは上述したように短いので、容易に組み付けることができる。
【００４４】
また、下部ケース１および上部ケース２の先端部分にはスペーサ６、フック５の順に配置され、下部ケース１および上部ケース２の後端部分には電池ホルダ４が配置され、上部ケース２の上面にはマイクカバー３が配置される。
【００４５】
そして、保持ピン８が、保持ピン孔４１，２５，１６および保持ピン溝６２に挿入される。これにより、保持ピン８によって、下部ケース１、上部ケース２、マイクカバー３、およびフック５が互いに固定され、スペーサ６は、フック５と下部ケース１および上部ケース２との間に挟まれて固定される。また、保持ピン９が、保持ピン孔１８，３１，７６，３０，１７に挿入される。これにより、保持ピン９によって、下部ケース１、上部ケース２、および本体ユニット７が互いに固定される。さらに、保持ピン１０が、保持ピン孔２０，５１，１９に挿入される。これにより、保持ピン１０によって、下部ケース１および電池ホルダ４が互いに固定される。
【００４６】
このようにして、図２に示すような分解状態から、図１に示す状態へ、本実施の形態に係る補聴器が組み立てられる。
【００４７】
以上のように、上記実施の形態に係る補聴器は、下部ケース１と、上部ケース２とを備える。下部ケース１は、上部ケース２の他方との接合部分に凹条１１ａ，１２ａを有し、上部ケース２は、下部ケース１との接合部分に凸条２１ａ，２２ａを有する。凹条１１ａ，１２ａは、傾斜側面１１ｂ，１２ｂを有し、凸条２１ａ，２２ａは、傾斜側面２１ｂ，２２ｂを有する。そして、傾斜側面１１ｂ，１２ｂおよび傾斜側面２１ｂ，２２ｂは、下部ケース１および上部ケース２を互いに組み付ける際に互いに接合する。
【００４８】
これにより、組み付け作業が簡単な下部ケース１および上部ケース２を有する補聴器が得られる。つまり、傾斜側面１１ｂ，１２ｂと傾斜側面２１ｂ，２２ｂとが接合することでガタつきが生じにくいため、下部ケース１および上部ケース２の端辺部１１，１２，２１，２２を、ガタつきが生じにくくかつ組み付け作業が簡単になるように形成することができる。補聴器を持つ際に横方向の側面を指で挟んで持った際、継ぎ目に力が加わっても、構造上隙間が生じにくい。さらに、下部ケース１および上部ケース２の後端部にそれぞれ凹部１３，１４および凸部２３，２４が形成されることで、電池ホルダが開状態であっても、横方向に押し広げられることによる下部ケース１と上部ケース２との接合部分の破損や変形の発生を抑制できる。
【００４９】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００５０】
例えば、上記実施の形態に係る補聴器は、耳かけ型補聴器であるが、下部ケース１および上部ケース２を有する耳あな型補聴器でもよい。
【産業上の利用可能性】
【００５１】
本発明は、例えば、補聴器に適用可能である。
【符号の説明】
【００５２】
１  下部ケース（第１ケース）
２  上部ケース（第２ケース）
３  マイクカバー
４  電池ホルダ
８  保持ピン
１１ａ，１２ａ  凹条
１１ｂ，１２ｂ  傾斜側面（第１傾斜側面の一例）
１１ｃ，１２ｃ  垂直側面
１３，１４  凹部
１３ａ，１４ａ  垂直側面（第１垂直側面の一例）
１６  保持ピン孔（第１保持ピン孔の一例）
２１ａ，２２ａ  凸条
２１ｂ，２２ｂ  傾斜側面（第２傾斜側面の一例）
２１ｃ，２２ｃ  垂直側面
２３，２４  凸部
２３ａ，２４ａ  垂直側面（第２垂直側面の一例）
２５  保持ピン孔（第２保持ピン孔の一例）
４１  保持ピン孔（第３保持ピン孔の一例）
【図１】
2018182421.tif 000003
【図２】
2018182421.tif 000004
【図３】
2018182421.tif 000005
【図４】
2018182421.tif 000006
【図５】
2018182421.tif 000007
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
補聴器の筐体を構成する第１ケースおよび第２ケースを有し、
前記第１ケースおよび前記第２ケースは互いに接続する接合部分を有し、
前記第１ケースおよび前記第２ケースの一方の接合部分は鋭角な凹条で第１傾斜側面を有し、
前記第１ケースおよび前記第２ケースの他方の接合部分は鋭角な凸条で第２傾斜側面を有し、
前記第１ケースおよび前記第２ケースは、前記第１傾斜側面および前記第２傾斜側面が互いに接合されて組み付けられており、
前記第１ケースおよび前記第２ケースは、前記第１ケースの両端と前記第２ケースの両端がそれぞれ接続する２つの接合部分を有し、
前記２つの接合部分の一方における前記鋭角な凹条および前記鋭角な凸条、並びに前記２つの接合部分の他方における前記鋭角な凹条および前記鋭角な凸条は、同一方向に接合されていること、
を特徴とする補聴器。
【請求項２】
前記凹条を形成する内部空間側の側面は、前記第１傾斜側面であり、
前記凹条を形成する外界側の側面は、組み付け方向に対して平行な面であり、
前記凸条を形成する内部空間側の側面は、前記第２傾斜側面であり、
前記凸条を形成する外界側の側面は、組み付け方向に対して平行な面であること、
を特徴とする請求項１記載の補聴器。
【請求項３】
前記凹条により形成される２つの頂辺部のうち、内側の頂辺部は、外側の頂辺部より低くなっていることを特徴とする請求項１または請求項２記載の補聴器。
【請求項４】
補聴器の筐体を構成する第１ケースおよび第２ケースを有し、
前記第１ケースおよび前記第２ケースは互いに接続する接合部分を有し、
前記第１ケースおよび前記第２ケースの一方の接合部分は鋭角な凹条で第１傾斜側面を有し、
前記第１ケースおよび前記第２ケースの他方の接合部分は鋭角な凸条で第２傾斜側面を有し、
前記第１ケースおよび前記第２ケースは、前記第１傾斜側面および前記第２傾斜側面が互いに接合されて組み付けられており、
前記第１ケースおよび前記第２ケースのうちの一方の後端部には、前記鋭角な凹条を形成する外界側の側面と連続する同一面を有する第１側面と、組み付け方向に対して平行で前記第１側面と対向する第２側面とを有する凹部を有し、
前記第１ケースおよび前記第２ケースのうちの他方の後端部には、前記鋭角な凸条を形成する外界側の側面と連続する同一面を有する第３側面と、組み付け方向に対して平行で前記第３側面と対向する第４側面とを有する凸部を有し、
前記第２側面および前記第４側面は、前記第１ケースおよび前記第２ケースを互いに組み付ける際に互いに接合すること、
を特徴とする補聴器。
【手続補正２】
【補正対象書類名】明細書
【補正対象項目名】００１０
【補正方法】変更
【補正の内容】
【００１０】
本発明に係る補聴器は、補聴器の筐体を構成する第１ケースおよび第２ケースを有する。第１ケースおよび第２ケースは互いに接続する接合部分を有する。第１ケースおよび第２ケースの一方の接合部分は鋭角な凹条で第１傾斜側面を有し、第１ケースおよび第２ケースの他方の接合部分は鋭角な凸条で第２傾斜側面を有する。第１ケースおよび第２ケースは、第１傾斜側面および第２傾斜側面が互いに接合されて組み付けられる。そして、（ａ）第１ケースおよび第２ケースは、第１ケースの両端と第２ケースの両端がそれぞれ接続する２つの接合部分を有し、その２つの接合部分の一方における鋭角な凹条および鋭角な凸条、並びにその２つの接合部分の他方における鋭角な凹条および鋭角な凸条は、同一方向に接合されているか、（ｂ）第１ケースおよび第２ケースのうちの一方の後端部に、上述の鋭角な凹条を形成する外界側の側面と連続する同一面を有する第１側面と、組み付け方向に対して平行で第１側面と対向する第２側面とを有する凹部を有し、第１ケースおよび第２ケースのうちの他方の後端部に、上述の鋭角な凸条を形成する外界側の側面と連続する同一面を有する第３側面と、組み付け方向に対して平行で第３側面と対向する第４側面とを有する凸部を有し、第２側面および第４側面は、第１ケースおよび第２ケースを互いに組み付ける際に互いに接合する。